(57)【特許請求の範囲】
【請求項１】
防振支持され洗濯水、すすぎ水を溜める外槽と、洗濯物が投入され前記外槽内に回転自在に支持され回転駆動される内槽と、該内槽の内底面部に配置され回転駆動される回転翼とを備える洗濯機であって、
前記回転翼の他の領域に比べて高く、前記回転翼の中央部から外周部にいくに従い次第に高くなるように形成された複数のビッグウィングと、
前記ビッグウィングに比較し小さくかつ低く、前記複数のビッグウィングの間に前記回転翼の中央部から外周部へ向けて形成された複数のミニウィングを有し、
前記回転翼上に、それぞれ独立した形状の多数の凸部が、前記ミニウィングの間および前記ミニウィングと前記ビッグウィングとの間に、前記回転翼の中央部から外周部にかけて放射状に互い違いに配置され、
前記凸部は、上面視で、前記回転翼の中心から前記凸部の中心までの距離が長くなればなるほど、前記凸部間の距離が長くなるように配置されることを特徴とする洗濯機。
【請求項２】
請求項１に記載の洗濯機において、
前記凸部は、側面視で、扁平な形状をしていることを特徴とする洗濯機。
【請求項３】
請求項１または請求項２に記載の洗濯機において、
前記凸部は、上面視で、円形または、ほぼ円形、楕円形、曲率を持つ曲面を組み合わせた形状、曲率を持つ曲面及び平面を組み合わせた形状のうち、いずれかの形状をしていることを特徴とする洗濯機。
【発明の詳細な説明】
【技術分野】
【０００１】
本発明は、衣類等の洗濯を行う洗濯機に関する。
【背景技術】
【０００２】
従来の縦型の電気洗濯機は、外枠内に防振機構を介して吊り下げた洗濯水を溜める外槽と、外槽内に回転可能に設ける内槽と、該内槽内の底部に回転可能に設けた回転翼と、内槽および／または回転翼を選択的に回転駆動する駆動機構と、外槽内に洗濯水を給水する給水機構と、外槽内の洗濯水を排水する排水機構と、外槽内の洗濯水の水位を検出する洗濯水位検出手段と、駆動機構、給水機構、排水機構等を制御する制御装置とを備えている。
乾燥機能付きの電気洗濯乾燥機は、上述の電気洗濯機に対して、外槽内の空気を外槽底部から吸い出して冷却除湿し、除湿した空気を加熱して内槽内に吹き込む乾燥空気循環系を付設した構成である。
【０００３】
図６は、従来の電気洗濯機、電気洗濯乾燥機の回転翼１００を示す斜視図である。
従来の電気洗濯機(電気洗濯乾燥機)の回転翼１００は、図６に示すように、浅いボール様の中央が凹んだ形状を呈している。回転翼１００の壁面１００ｕには、洗濯物と壁面１００ｕ間に水の膜が形成されないように、多数の孔１００ｕ1が穿設される。また、壁面１００ｕの中央から放射状に４つの凸状攪拌翼１００ｕ2が形成されている(特許文献１参照)。
【先行技術文献】
【特許文献】
【０００４】
【特許文献１】特開２００２−３６０９９０号公報（段落００１４、００１５、図３等）
【特許文献２】特開２００５−２１８６６３号公報（段落００２２、図２、図３等）
【発明の概要】
【発明が解決しようとする課題】
【０００５】
ところで、上述の電気洗濯機(電気洗濯乾燥機)における好ましい洗濯水の量は、一般的には、洗濯物の布量に応じて自動的に設定される。
一般的な撹拌式の電気洗濯機(電気洗濯乾燥機)において、標準的な布量の洗濯物を洗濯するときの洗濯水量は、６０リットル程度であり、２回の濯ぎを行うとすると、１回の洗濯で約１８０リットルの洗濯水を消費することになる。
そのため、電気洗濯機による洗濯の使用水量が多いという問題がある。
【０００６】
また、従来の電気洗濯機(電気洗濯乾燥機)は、内槽内に洗濯水をたくさん溜めて、図６に示す大きな突部の凸状攪拌翼１００ｕ2をもつ回転翼１００を往復回転動させて洗濯物が投入された洗濯水をかき廻して洗う方式である。このように、従来の回転翼１００は、大きな突部の凸状攪拌翼１００ｕ2を用いて、引っ掛けて洗うことになるため、衣類等の洗濯物を傷め易いという難点がある。
【０００７】
そこで、使用水量の低減と布傷みの軽減を図った電気洗濯機(電気洗濯乾燥機)として、特許文献２に記載されるように、図６に示す回転翼１００と異なる形状の回転翼を用いるたたき洗い、押し洗い方式の電気洗濯機(電気洗濯乾燥機)が出現している。
本発明は上記実状に鑑み、少ない使用水量で洗濯性能、乾燥効率を向上させた洗濯乾燥機および洗濯機の提供を目的とする。
【課題を解決するための手段】
【０００８】
上記目的を達成すべく、防振支持され洗濯水、すすぎ水を溜める外槽と、洗濯物が投入され前記外槽内に回転自在に支持され回転駆動される内槽と、該内槽の内底面部に配置され回転駆動される回転翼とを備える洗濯機であって、前記回転翼の他の領域に比べて高く、前記回転翼の中央部から外周部にいくに従い次第に高くなるように形成された複数のビッグウィングと、前記ビッグウィングに比較し小さくかつ低く、前記複数のビッグウィングの間に前記回転翼の中央部から外周部へ向けて形成された複数のミニウィングを有し、前記回転翼上に、それぞれ独立した形状の多数の凸部が、前記ミニウィングの間および前記ミニウィングと前記ビッグウィングとの間に、前記回転翼の中央部から外周部にかけて放射状に互い違いに配置され、前記凸部は、上面視で、前記回転翼の中心から前記凸部の中心までの距離が長くなればなるほど、前記凸部間の距離が長くなるように配置される。
【発明の効果】
【０００９】
本発明によれば、洗濯性能を向上させた洗濯機を実現できる。
【図面の簡単な説明】
【００１０】
【図１】本発明に関わる実施形態の洗濯乾燥機を示す外観斜視図である。
【図２】実施形態の洗濯乾燥機の構造を示す図１のＡ−Ａ線要部断面図である。
【図３】実施形態の回転翼を斜め上方から見た斜視図である。
【図４】(ａ)は、図３のＢ−Ｂ線断面図であり、図４(ｂ)は、図３のＣ−Ｃ線断面図である。
【図５】(ａ)は、実施形態の回転翼のビート凸部の配置を示す上面図であり、(ｂ)は、図５(ａ)のＦ−Ｆ線断面拡大図である。
【図６】従来の回転翼を示す斜視図である。
【発明を実施するための形態】
【００１１】
以下、本発明の実施形態について添付図面を参照して説明する。
図１は、実施形態の洗濯乾燥機１を示す外観斜視図であり、図２は、洗濯乾燥機１の構造を示す図１のＡ−Ａ線要部断面図である。
【００１２】
＜洗濯乾燥機１の外装＞
図１に示す実施形態の洗濯乾燥機１は、鋼板で形成された側面板２ａと、合成樹脂で形成された下ベース２ｂと、合成樹脂で形成されたトップカバー３とで筐体１ｋが形成されている。
図２に示すトップカバー３は、中央部に衣類等の洗濯物出入れ口３ａを有しており、この洗濯物出入れ口３ａを開閉するための外蓋体４が設けられている。なお、図２では、実線で外蓋体４の閉状態を示し、二点鎖線で外蓋体４の開状態を示している。
【００１３】
＜トップカバー３＞
洗濯物出入れ口３ａが形成されるトップカバー３は、必要に応じて、複数の部材を組み合わせて構成され、洗濯乾燥機１の上部を覆うように嵌め込んで取り付けネジによって側枠(図示せず)に固定される。
トップカバー３に形成した洗濯物出入れ口３ａは、基部ヒンジｈ１(図２参照)によりトップカバー３に回転自在に取り付けた外蓋体４によって、開閉自在に構成されている。
【００１４】
図２に示すように、トップカバー３における外蓋体４の当接面３ｂの左側の前縁部分には、粉末洗剤を投入する粉末洗剤投入箱３ｄが形成されている。粉末洗剤投入箱３ｄの底面は、投入された粉末洗剤が粉末洗剤投入口１３に円滑に流下するように形成されている。
図１に示すように、トップカバー３の前側に配置されるスイッチ実装面３ｃには、電源をオン・オフするための押しボタン式の電源スイッチｓ１と、外蓋体４を開閉操作するための外蓋開閉指示スイッチｓ２と、洗剤量検出指示スイッチｓ３とが実装されている。
【００１５】
＜外蓋体４＞
図２に示す洗濯物出入れ口３ａを開閉する外蓋体４は、合成樹脂で形成され、トップカバー３の洗濯物出入れ口３ａを開閉自在とするように基部ヒンジｈ１に回転自在(図の矢印α1、α2方向)に設けられる後蓋部４ｂ(図１参照)と、後蓋部４ｂの前縁に中間ヒンジｈ２(図２参照)によって屈伸自在に連結された前蓋部４ａとを有している。
外蓋体４は、電動または手動で、洗濯物出入れ口３ａの開閉動作が行われる。
【００１６】
図１に示す外蓋体４の前蓋部４ａには、外蓋体４を手動開閉する際にユーザが指先を挿し入れるように前蓋部４ａの後端部を凹ませて形成される取っ手部４ａ2と、該取っ手部４ａ2の開口を塞ぐようにネジリバネ等で回転可能に弾性支持される取っ手蓋部４ａ1と、この取っ手蓋部４ａ1の手前側に連なって洗濯乾燥機１を操作・動作表示するための操作表示パネル部４ａ3とが設けられている。
なお、図２においては、取っ手蓋部４ａ1、取っ手部４ａ2、操作表示パネル部４ａ3の構成は省略して示している。
【００１７】
操作表示パネル４ａ3は、図１に示すように、外蓋体４の前蓋部４ａの上面に配置され、主として該外蓋体４を閉じた状態で操作される操作ボタンｂuと洗濯乾燥機１の動作状態を表示する表示パネルＰとが、パネル制御回路基板(図示せず)に接続され設けられている。パネル制御回路基板は、図示しない主制御基板、電力用制御基板等にバスラインで接続されている。
【００１８】
＜外蓋体４の開閉＞
図１に示す外蓋体４を、電動で開閉駆動する電動開閉駆動機構は、後蓋部４ｂを、基部ヒンジｈ１(図２参照)を支点にして開閉駆動電動機で駆動して起伏動作(図２の矢印α１、α２参照)させるとともに、前蓋部４ａを中間ヒンジｈ２(図２参照)廻りに従動させて、前蓋部４ａ、後蓋部４ｂを折り畳んだ開状態(図２の二点鎖線参照)と、前蓋部４ａ、後蓋部４ｂを広げて平坦にした閉状態(図２の実線参照)との開閉動作を行っている。
【００１９】
或いは、この構成に代えて、中間ヒンジｈ２(図２参照)の位置において後蓋部４ｂと前蓋部４ａが、開／閉状態とするように開閉駆動電動機で屈伸駆動することによって開閉動作するように構成してもよい。
この外蓋体４の開／閉制御のために、外蓋体４の全開／全閉状態を検出するための外蓋全開検出センサ、外蓋全閉検出センサ（図示せず）が設けられている。
【００２０】
一方、ユーザが外蓋体４を手動で開閉動作する際には、ユーザが取っ手蓋部４ａ1を指先で押圧することによって、取っ手蓋部４ａ1が後退転動して指先を取っ手部４ａ2内に挿入して取っ手部４ａ2をつかみ、外蓋体４の前蓋部４ａを上げ下げすることで、外蓋体４の開閉が行われる。
外蓋体４を開閉駆動する電動開閉駆動機構は、ユーザが手で外蓋体４を開閉駆動操作するときに大きな機械的負荷抵抗とならないように、開閉駆動電動機の形態を考慮したり、動力伝達系にクラッチ機構を介在させたりすることが望ましい。
【００２１】
＜外槽５＞
図２に示すように、洗濯乾燥機１の筐体１ｋ内には、洗濯水を溜める外槽５が、筐体１ｋの上端四隅部に設けた隅板に係止し垂下させた４本の吊り部材（図示せず）で支持され、洗濯乾燥機１内の中心部に縦向きに配置されている。
吊り部材は、ばね等の弾性材と空気など流体の粘性による減衰機構を有する防振機構を備えている。この防振機構を介して、外槽５が、防振支持され、脱水運転起動時等の振れ回り運動が抑制されている。
【００２２】
外槽５は、軸方向に長い有底円筒形状に、合成樹脂で形成されている。外槽５は、その下部の側壁に水位検出のためのエアトラップ５ａが形成され、エアチューブｃ１を介して水位検出手段である感圧式の水位検出センサｃ２に接続され、その底部には排水兼排気口５ｂが設けられている。また、外槽５の底部の外側には、鋼板製の取り付けベース１８を介して洗濯脱水駆動装置１０が取り付けられている。
外槽５内には、衣類等の洗濯物１９が投入され、洗濯、すすぎ、脱水、乾燥が行われる内槽６が回転自在に同心的に設けられている。
【００２３】
＜外槽上カバー９＞
図２に示すように、内槽６が収容された外槽５の上側開口端には、外槽５と内槽６の間の間隙を覆うべく、内側衣類投入口９ａを備えた外槽上カバー９が取り付けられている。
外槽上カバー９の内側衣類投入口９ａは、図示しない内蓋によって開閉自在に覆われるが、ここでは内蓋の説明は省略する。
【００２４】
外槽上カバー９には、内槽６内に向けて開口され洗濯工程時に循環される水を内槽６内に散水する散水口１１と、乾燥工程時に乾燥用の空気を内槽６内に噴出する噴気口１２とが取り付けられる。また、外槽上カバー９には、内槽６と外槽５の間の間隙に向けて開口する態様で、洗剤投入口１３と給水口１４とが取り付けられる。洗剤投入口１３は、蛇腹管ｊ１を介して粉末洗剤投入箱３ｄに接続している。
【００２５】
＜内槽６＞
外槽５内に配置される内槽６は、洗濯兼脱水槽であり、ステンレス鋼板を用いて、軸方向に長い有底円筒形状に形成されている。
内槽６の周壁には、通水および通風のための小穴６ａが形成され、その上縁部に、高速回転の脱水工程時に洗濯物１９の偏りと反対方向に流体が移動して洗濯物１９の偏りによる振動を抑制する流体バランサー６ｂを備えている。内槽６は、脱水工程時には高速で回転して、洗濯物１９に含まれる水分を遠心力により洗濯物１９から分離して脱水孔の小穴６ａより排出する遠心脱水が行なわれる。
【００２６】
内槽６内の内底面部の中央には、洗濯物１９を上下動、攪拌等して洗濯、すすぎ等を行う回転翼３０が回転自在に設けられている。回転翼３０は、洗濯脱水駆動装置１０によって回転駆動され、正転／逆転を繰り返して洗濯、すすぎ等を行う。また、乾燥運転でも回転翼３０は、正転／逆転を繰り返して乾燥が行なわれる。
なお、回転翼３０の構造については、後に詳述する。
【００２７】
＜洗濯脱水駆動装置１０＞
洗濯脱水駆動装置１０は、可逆回転型のコンデンサ分相単相誘導電動機、インバータ駆動電動機等を使用した駆動電動機と電磁操作クラッチ機構と遊星歯車減速機構を内蔵し、駆動電動機と電磁操作クラッチ機構を制御することによって、内槽６を静止させた状態で回転翼３０を繰り返し正逆（往復）回転させる撹拌駆動モードと、内槽６と回転翼３０を一体的に同一方向に回転させる脱水駆動モードとを選択的に実行する駆動機能を有する。
【００２８】
＜洗濯工程時の洗濯水の循環＞
次に、洗濯工程時に洗濯水を内槽６から排出して再び給水して循環する構成について説明する。
図２に示す外槽５の排水兼排気口５ｂは、蛇腹管ｊ２と内部配管ｋ１を介して排水電磁弁１６の入水口と電動循環ポンプＰ１の入水口に接続している。
この排水電磁弁１６と電動循環ポンプＰ１は、筐体１ｋ内の強度部材(図示せず)に取り付けられ、排水電磁弁１６の出水口は、外部排水ホース１７に接続される。電動循環ポンプＰ１の出水口は、内部配管ｋ２と蛇腹管ｊ３と糸屑フィルタｆ１が着脱可能に設置される内部配管ｋ３を介して散水口１１に接続する。
【００２９】
これらの排水兼排気口５ｂと蛇腹管ｊ２と内部配管ｋ１と電動循環ポンプＰ１と内部配管ｋ２、ｋ３と蛇腹管ｊ３と散水口１１とで、洗濯水循環機構を構成している。
この洗濯水の循環が行われる洗濯工程においては、洗濯物１９に含まれる洗濯水に加え、最低水位(回転翼３０が沈む程度から内槽６の内底面から１／２の高さ寸法の水位)の洗濯水が付与され、洗濯が行われる。
【００３０】
＜乾燥機構の構成＞
筐体１ｋ内の後側部には、乾燥工程において洗濯物１９から吸湿した水分を含む空気を、水冷除湿板２２の外面上を流れる冷却水で冷却して除湿するための水冷除湿機構２０が設置されている。
水冷除湿機構２０の基本的な構成は、乾燥工程における外槽５内の湿潤した空気を排水兼排気口５ｂから吸い出し、水冷除湿板２２の外面上を流れる冷却水で水冷除湿して絶対湿度を低下させた後に加熱し、内槽６内にその上方から吹き込む乾燥空気循環系を構成している。
【００３１】
水冷除湿機構２０は、排水兼排気口５ｂから、蛇腹管ｊ４を介して、接続された乾燥用空気の通風路である水冷除湿風路２１を備える。
この水冷除湿風路２１内に水冷除湿板２２が設置されるとともに、乾燥用空気に含まれる糸屑を除去する糸屑フィルタｆ２と、乾燥用空気を送風するための電動送風機２３と、除湿後の乾燥用空気を加熱するための電熱ヒータＨpとが設けられる。
【００３２】
具体的には、水冷除湿風路２１は、排水兼排気口５ｂを入口として、蛇腹管ｊ４から上方に向けて伸びるように上昇風路２１ａが設けられ、上昇風路２１ａ内に水冷除湿板２２が設置される。そして、上昇風路２１ａの上端部から折り返して下方に向けて伸びる下降風路(図示せず)を設け、この折り返し部に糸屑フィルタｆ２が着脱可能に設置される。下降風路内には該下降風路内を流れる空気の湿度に感応する湿度センサ(図示せず)が設置される。この下降風路の下端部に電動送風機２３の吸気口が接続され、この電動送風機２３の排気口から上方に向けて伸びる上昇風路(図示せず)が設けられる。
上昇風路の先は、空気加熱管ｋ４と蛇腹管ｊ５を介して前記の噴気口１２に接続される。空気加熱管ｋ４内には、乾燥工程時の乾燥用の循環空気を加熱するＰＴＣヒータ等の電熱ヒータＨpが内装される。
【００３３】
＜回転翼３０＞
次に、図２に示す回転翼３０の構成について、詳細に説明する。
図３は、回転翼３０を斜め上方から見た斜視図である。図４(ａ)は、図３のＢ−Ｂ線断面図であり、図４(ｂ)は、ビッグウィング３１の一番高い箇所を示す図３のＣ−Ｃ線断面図である。
図３に示す回転翼３０は、内槽６の内底面部を一部または全部覆うような大きな径を有して、上面視で略円形に形成されている。
回転翼３０は、図３、図４(ａ)に示すように、周辺平坦部３０ｓから中央部３０ｏにいくに従い次第に高く形成されている。
【００３４】
＜回転翼３０のビッグウィング３１＞
回転翼３０には、図３、図４(ｂ)に示すように、中央部３０ｏから外周部にいくに従って次第に高く形成される第１ビッグウィング３１ａと、該第１ビッグウィング３１ａの外方から外周部にいくに従って第１ビッグウィング３１ａの第１頂部３１ａ1からやや低くなった後に次第に高く形成される第２ビッグウィング３１ｂとを有するビッグウィング３１が、対称な位置に２箇所形成されている。
【００３５】
回転翼３０のビッグウィング３１は、言い換えれば、回転翼３０の外周部から中央部にいくに従い、外周部の最も高い第２頂部３１ｂ1から直線状部３１ｂ2をもって低くなる第２ビッグウィング３１ｂが形成され、さらに、直線状部３１ｂ2の最下端位置から少し高くなった箇所に第１ビッグウィング３１ａの最も高い第１頂部３１ａ1があり、第１頂部３１ａ1から中央部３０ｏにかけて次第に低くなる第１ビッグウィング３１ａが形成されている。
【００３６】
図３に示す２つのビッグウィング３１は、回転翼３０の中央部３０ｏから外方向に向けて径方向に凸部が長く連続する峰状凸部として、回転翼３０の他の領域に比べ高く形成されている。
図４(ｂ)に示すように、第１ビッグウィング３１ａの最も高い第１頂部３１ａ1は、例えば、直線状部３１ｂ2の延長線から高さ寸法ｔ１＝８ｍｍに形成されている。
ビッグウィング３１の中央側に第１ビッグウィング３１ａを設けることにより、洗濯物１９の回転翼３０の径方向の動きが創出され、回転翼３０の中央部に位置する洗濯物１９の動きが活性化される。
【００３７】
すなわち、回転翼３０の回転動作により、回転翼３０の中央と外周部との間での洗濯物１９の動きが現出し、回転翼３０の中央にある洗濯物１９の回転翼３０の外周部にある洗濯物１９との入れ替えが促進され、洗濯物１９全体を万遍なく洗い上げることができる。
回転翼３０の洗濯動作を全体的に説明すると、回転翼３０の回転動作により、ビッグウィング３１全体で回転翼３０上に載置されている洗濯物１９に上方向の力を繰り返し作用させ、押し洗い力を発生させるとともに、回転翼３０上に載置されている洗濯物１９をビッグウィング３１全体で持ち上げて落下させ、たたき洗いを行う。
そして、ビッグウィング３１に形成した第１ビッグウィング３１ａと第２ビッグウィング３１ｂとで、回転翼３０の径方向に洗濯物１９を入れ替えることで、もみ洗いを効果的に行っている。
【００３８】
ここで、実施形態では、ビッグウィング３１を２箇所形成した場合を例示したが、１箇所または３箇所以上でもよく、ビッグウィング３１の数は適宜選択可能である。
なお、図３に示すように、ビッグウィング３１を回転翼３０に二つ形成するのが最も望ましい。
【００３９】
また、ビッグウィング３１において、第２ビッグウィング３１ｂの中央側に第１ビッグウィング３１ａを一つ形成した場合を例示したが、二つ以上形成してもよい。
なお、図４(ｂ)に示すように、ビッグウィング３１における第１ビッグウィング３１ａの数は、一つが好ましい。
図３に示すように、回転翼３０の２つのビッグウィング３１に挟まれる周辺平坦部３０ｓの２つの領域は、峰状凸部を形成するビッグウィング３１から離隔するに従って次第に低く形成されている。
【００４０】
＜回転翼３０のミニウィング３２＞
２つのビッグウィング３１に挟まれる２つの周辺平坦部３０ｓの領域には、それぞれ中央部３０ｏから外周部にいくに従い次第に高くなる峰状のミニウィング３２が２つ形成されており、２つのミニウィング３２により、２つのビッグウィング３１に挟まれる各周辺平坦部３０ｓが３つに分割されている。
ここで、ミニウィング３２は、ビッグウィング３１に比較し、小さくかつ低い寸法で形成されている。
【００４１】
このミニウィング３２の働きにより、回転翼３０の周辺平坦部３０ｓに位置する洗濯物１９が、回転翼３０の回転により上下動され、洗濯物１９の動きが活性化される。
ミニウィング３２の間の周辺平坦部３０ｓおよびミニウィング３２とビッグウィング３１との間の周辺平坦部３０ｓには、洗濯物１９と回転翼３０の上面間に水膜が形成されるのを防止するために、細孔３０ａが多数穿設されている。
【００４２】
＜回転翼３０のビート凸部３３＞
また、ミニウィング３２の間の周辺平坦部３０ｓおよびミニウィング３２とビッグウィング３１との間の周辺平坦部３０ｓには、図３、図４(ａ)に示すように、ビート凸部３３が、中央部３０ｏから外周部にかけて放射状に互い違いに複数形成されている。
各ビート凸部３３は、径が約３０ｍｍ、高さ２．５ｍｍの寸法を有する上面視で円形またはほぼ円形であり、曲率をもつ外面を有する側面視(図３のＢ−Ｂ線断面図の図４(ａ)参照)で扁平な形状に形成されている。
【００４３】
このように、ビート凸部３３がその中心に対して対称またはほぼ対称な形状であり、外面が曲率もつ上面視で円形またはほぼ円形の形状を有することで、該ビート凸部３３に当接する洗濯物１９に偏りなく該ビート凸部３３が作用し、洗濯物１９がビート凸部３３のどの角度からきても滑らかに洗うことが可能で、万偏なく洗うことができる。
また、ビート凸部３３が、曲率をもつ外面を有する形状をもつことにより、洗濯物１９に余計な負荷をかけず、洗濯物１９の傷みを抑制するとともに、回転翼３０の駆動電動機の負荷トルクが低減され、低消費電力化が可能である。
【００４４】
このように、回転翼３０の周辺平坦部３０ｓに、多数のビート凸部３３が点在して形成されることにより、ビッグウィング３１から落下される洗濯物１９に指圧的効果を与えられる。また、洗濯物１９に内槽６の径方向の動きが出せ、各ビート凸部３３廻りに洗濯物１９を回転させることができ、洗濯物１９の動きが活性化される。
そのため、洗濯物１９に対する回転翼３０の洗浄能力が向上する。
【００４５】
また、図３に示す回転翼３０が回転された場合、回転翼３０の外周側は中央部３０ｏ側に比べ周速が速いので、ビート凸部３３の密度を外周側と中央部３０ｏ側とで同密度で設けた場合、回転状態の回転翼３０の平坦度が周速の関係で回転翼３０の外周側が中央部３０ｏ側より低くなる。
そこで、回転翼３０の外周側のビート凸部３３を中央部３０ｏ側に比べて、密度低く形成している。言い換えれば、回転翼３０の中央部３０ｏ側のビート凸部３３を外周側に比べて、密度高く形成している。
【００４６】
ここで、ビート凸部３３のピッチが短ければ短いほど平坦面に近づくことになるので、ビート凸部３３の効果が薄れる一方、ビート凸部３３のピッチが長すぎると同様に平坦面に近づくことになるので、ビート凸部３３の効果が薄れる。
そこで、ビート凸部３３は、図３に示すように、互い違いに配置することで、ビート凸部３３の間に適度な距離が保つこととしている。
【００４７】
＜回転翼３０のビート凸部３３の配置＞
次に、回転翼３０におけるビート凸部３３の望ましい配置について説明する。
図５(ａ)は、図２に示す回転翼３０のビート凸部３３の配置を示す上面図であり、図５(ｂ)は、図５(ａ)のＦ−Ｆ線断面拡大図である。
ビート凸部３３は、回転翼３０の外周部に配置されるほど回転翼３０の回転による周速度の影響を受け、回転翼３０に特有の上下運動を増幅させる効果がある。
【００４８】
その配置関係は、図５(ａ)に示すように、回転翼３０を中心にビート凸部３３を同心円状に配置する。
同心円状に隣接する２つのビート凸部３３に関して、回転翼３０の中心３０o1からビート凸部３３の中心３３oまでの距離がＹ１である隣接するビート凸部３３の中心間距離がＸ１であり、回転翼３０の中心３０o1からビート凸部３３の中心３３oまでの距離がＹ２である隣接する凸部の中心間距離がＸ２とした場合、
Ｘ１／Ｙ１＝Ｘ２／Ｙ２
の関係としたとき、洗濯物１９の上下運動に最も効果をもたらす。
このように、回転翼３０の中心３０o1からビート凸部３３の中心３３oまでの距離が長くなればなるほど、ビート凸部３３の間の距離を長くすることにより、洗濯物１９の上下運動に有効な効果が得られる。
【００４９】
或いは、隣接するビート凸部３３が球面等の曲率を有した形状で上面視で円形またはほぼ円形のビート凸部３３の直径をｂとしたとき、該ビート凸部３３の上面視での中心は、直径２ｂの円周上に配置され、該直径２ｂの円周上に４ケ以上の該ビート凸部３３の上面視での中心は存在しない。かつ、該直径２ｂの円内部に該ビート凸部３３の上面視での中心も存在しないように、ビート凸部３３を構成することもできる。
【００５０】
また、図５(ｂ)に示すように、ビート凸部３３の高さをｈ(図５(ｂ)参照)、回転翼３０の最大高さＨ(図４(ｂ)に示す基準面(内槽６の内底面に相当)から第２ビッグウィング３１ｂの頂部３１ｂ1までの高さ)をとした場合、
ｈ／Ｈ＝１／４０〜４／４０
の関係にあることが望ましい。
また、図５(ａ)に示すように、回転翼３０の上面視での直径をＤとし、ビート凸部３３の上面視での直径をｂ(図５(ｂ)参照)としたとき、
１５＜Ｄ／ｂ＜１６
の関係にある場合、最も洗浄、乾燥仕上がり効果が発揮される。
【００５１】
以上のことから、ビート凸部３３に関わる寸法の１例として、例えば、Ｘ１＝１５５．５ｍｍ、Ｙ１＝４３．４３ｍｍ、Ｘ２＝２００．５ｍｍ、Ｙ２＝５６ｍｍ、ｈ＝２．５ｍｍ、Ｈ＝８０ｍｍ、Ｄ＝４７０ｍｍ、ｂ＝３０ｍｍ
の場合、良好な洗浄、乾燥仕上がり効果が得られた。
なお、ビート凸部３３の形状として、図３、図４(ａ)に示すように、上面視で円形またはほぼ円形の扁平形状の場合を例示したが、ビート凸部３３の形状として、例示した以外に、球面状のビート凸部３３や、上面視で楕円形の卵型様形状のビート凸部３３、種々の曲率をもつ曲面を組み合わせた形状や、種々の曲率をもつ曲面および平面を組み合わせた形状のビート凸部３３等、ビート凸部３３の形状は適宜選択可能である。
【００５２】
＜まとめ＞
図１に示す洗濯乾燥機１において、洗濯脱水槽の内槽６にある回転翼３０上に大の凸部(ビッグウィング３１の第１ビッグウィング３１ａ)(図３、図４(ｂ)参照)と小の凸部(ビート凸部３３)(図３、図４(ａ)参照)とを設けることで、衣類等の洗濯物１９の洗浄力を向上させ、かつ洗いムラの低減が図れる。
また、大、小の凸部(ビッグウィング３１の第１ビッグウィング３１ａ(図３参照)、ビート凸部３３(図３参照))で効率よく衣類等の洗濯物１９を入れ替えることで、洗濯水の洗浄効果の向上による洗濯工程の使用水量低減、および洗濯物１９の乾燥効率の向上による乾燥工程の短縮を実現できる。
【００５３】
回転翼３０上の大小凸部のうち、小さい凸部(ビート凸部３３)は数多く設ける。小さい凸部(ビート凸部３３)の配置、大きさ、数量は洗浄効果、時短効果との関係性により成り立っている。
回転翼３０が回転することで、洗濯物１９が回転翼３０上をすべり小さな凸部(ビート凸部３３)に当てることで、洗濯物１９を、小刻みに上下運動および回転運動させることで入替えが行える。また、洗濯物１９が小さな凸部(ビート凸部３３)に細かく当ることで、指圧的に揉み洗いの効果を得ることが可能である。
【００５４】
回転翼３０の大きな凸部(ビッグウィング３１の第１ビッグウィング３１ａ(図３、図４(ｂ)参照))は、回転翼３０中心部近くに２個設けるので、回転翼３０中心付近にあって小さな凸部(ビート凸部３３)に当り難い衣類等の洗濯物１９を跳ね上げ、回転翼３０の外周付近の洗濯物１９との入替えを効果的に行える。
上述したことから、洗濯脱水槽の内槽６にある回転翼３０上に大小の凸部(ビッグウィング３１の第１ビッグウィング３１ａ、ビート凸部３３)を設けることで、洗濯性能、乾燥効率を向上させた洗濯乾燥機１が実現できる。
【００５５】
なお、大小の凸部(ビッグウィング３１の第１ビッグウィング３１ａ、ビート凸部３３)を設けることで、設けない場合と比較して、規格に基づいた汚染布を用いた試験によって洗濯性能が従来比で１０〜２０％向上することが確認できた。
なお、前記実施形態では、ビッグウィング３１の第１ビッグウィング３１ａとビート凸部３３とを同じ回転翼３０に形成した場合を例示したが、ビッグウィング３１の第１ビッグウィング３１ａのみまたはビート凸部３３のみを回転翼に形成してもよいのは勿論である。
なお、前記実施形態では、洗濯乾燥を行う洗濯乾燥機１を例示して説明したが、前記した乾燥機能を有さず回転翼３０を有する洗濯機においても、本発明は有効に適用可能であることは勿論である。
【符号の説明】
【００５６】
１        洗濯乾燥機
５        外槽
６        内槽
１９      洗濯物
２０      水冷除湿機構(乾燥機構)
３０      回転翼
３０o1    回転翼の中心
３１      ビッグウィング(大ウィング部)
３１ａ    第１ビッグウィング(峰状凸部、第１峰状凸部)
３１ａ1   第１頂部
３１ｂ    第２ビッグウィング(第２峰状凸部)
３１ｂ1   第２頂部(頂部)
３３      ビート凸部(凸部)
３３o     中心(凸部の中心)
ｂ        直径
Ｄ        直径
ｈ        ビート凸部の高さ(凸部の高さ)
Ｈ        回転翼の高さ
【図１】
0005439520.tif 000002
【図２】
0005439520.tif 000003
【図３】
0005439520.tif 000004
【図４】
0005439520.tif 000005
【図５】
0005439520.tif 000006
【図６】
0005439520.tif 000007